(57)【特許請求の範囲】
【請求項１】
撮影により取得したデジタル画像データを記録する記録媒体を有するとともに、該デジタル画像データを撮影画像として表示する表示手段が着脱自在に設けられてなるデジタルカメラにおいて、
前記デジタル画像データのプリント時における注文枚数を設定する注文枚数設定手段と、
前記表示手段の有無を検出する検出手段と、
該検出手段の検出結果に応じて、前記注文枚数設定手段による注文枚数設定機能を切り換える設定機能切換手段とを備えたことを特徴とするデジタルカメラ。
【請求項２】
前記設定機能切換手段は、前記検出手段により前記表示手段が装着されていることが検出されたときは、少なくとも前記表示手段に表示された撮影画像ごとの注文枚数を設定可能とし、前記表示手段が離脱していることが検出されたときは、前記記録媒体に記録された全てのデジタル画像データの注文枚数を共通に設定可能とするよう前記注文枚数設定手段の注文枚数設定機能を切り換えることを特徴とする請求項１記載のデジタルカメラ。
【請求項３】
前記デジタル画像データ再生時における再生画像の画像処理内容を設定する画像処理設定手段と、
前記検出手段により前記表示手段が装着していることが検出されたときは、前記画像処理設定手段による設定を可能とし、前記表示手段が離脱していることが検出されたときは、前記画像処理設定手段による設定を禁止する画像処理設定切換手段とをさらに備えたことを特徴とする請求項１または２記載のデジタルカメラ。
【請求項４】
撮影により取得したデジタル画像データを記録する記録媒体を有するとともに、該デジタル画像データを撮影画像として表示する表示手段と、該表示手段のオン／オフを切り換える表示切換手段とを有するデジタルカメラにおいて、
前記デジタル画像データのプリント時における注文枚数を設定する注文枚数設定手段と、
前記表示手段のオン／オフを検出する検出手段と、
該検出手段の検出結果に応じて、前記注文枚数設定手段による注文枚数設定機能を切り換える設定機能切換手段とを備えたことを特徴とするデジタルカメラ。
【請求項５】
前記設定機能切換手段は、前記検出手段により前記表示手段がオンしていることが検出されたときは、少なくとも前記表示手段に表示された撮影画像ごとの注文枚数を設定可能とし、前記表示手段がオフしていることが検出されたときは、前記記録媒体に記録された全てのデジタル画像データの注文枚数を共通に設定可能とするよう前記注文枚数設定手段の注文枚数設定機能を切り換えることを特徴とする請求項４記載のデジタルカメラ。
【請求項６】
前記デジタル画像データ再生時における再生画像の画像処理内容を設定する画像処理設定手段と、
前記検出手段により前記表示手段がオンしていることが検出されたときは、前記画像処理設定手段による設定を可能とし、前記表示手段がオフしていることが検出されたときは、前記画像処理設定手段による設定を禁止する画像処理設定切換手段とをさらに備えたことを特徴とする請求項４または５記載のデジタルカメラ。
【請求項７】
撮影により取得したデジタル画像データを記録する記録媒体を有するとともに、該デジタル画像データを撮影画像として表示する表示手段に該デジタル画像データを出力するための出力端子を有するカメラにおいて、
前記デジタル画像データのプリント時における注文枚数を設定する注文枚数設定手段と、
前記出力端子に前記表示手段が接続されているか否かを検出する検出手段と、
該検出手段の検出結果に応じて、前記注文枚数設定手段による注文枚数設定機能を切り換える設定機能切換手段とを備えたことを特徴とするデジタルカメラ。
【請求項８】
前記設定機能切換手段は、前記検出手段により前記表示手段が接続されていることが検出されたときは、少なくとも前記表示手段に表示された撮影画像ごとの注文枚数を設定可能とし、前記表示手段が接続されていないことが検出されたときは、前記記録媒体に記録された全てのデジタル画像データの注文枚数を共通に設定可能とするよう前記注文枚数設定手段の注文枚数設定機能を切り換えることを特徴とする請求項７記載のデジタルカメラ。
【請求項９】
前記デジタル画像データ再生時における再生画像の画像処理内容を設定する画像処理設定手段と、
前記検出手段により前記表示手段が接続されていることが検出されたときは、前記画像処理設定手段による設定を可能とし、前記表示手段が接続されていないことが検出されたときは、前記画像処理設定手段による設定を禁止する画像処理設定切換手段とをさらに備えたことを特徴とする請求項７または８記載のカメラ。
【発明の詳細な説明】
【０００１】
【発明の属する技術分野】
本発明はデジタルカメラに関し、とくに撮影により取得したデジタル画像データをプリントする際の注文枚数を設定可能なデジタルカメラに関するものである。
【０００２】
【従来の技術】
デジタル電子スチルカメラ（以下デジタルカメラとする）においては、撮像により取得した画像をデジタル画像データとしてデジタルカメラ内部に設けられた内部メモリやＩＣカードなどの記録媒体に記録し、記録されたデジタル画像データに基づいて、プリンタやモニタに撮像により取得した画像を表示することができる。
【０００３】
一方、このようなデジタルカメラとして、液晶モニタを備えたものも知られている。このように液晶モニタを備えたデジタルカメラにおいては、撮像した画像を直ちに液晶モニタに表示することができる。このようなデジタルカメラにおいては、モニタの消費電力が大きく、モニタを常時オンとしておくと電池の消費量が大きくなるため、必要に応じてモニタをオン／オフさせるためのスイッチを設けたものが知られている。
【０００４】
また、モニタを備えていないデジタルカメラにおいて、画像再生用のモニタと接続するケーブルをデジタルカメラに結合すると自動的に画像を表すビデオ信号をモニタに出力するようにしたデジタルカメラも知られている（特開平８−９８０７４号公報）。さらに、モニタをカメラに対して着脱自在に設けるようにしたデジタルカメラも知られている（リコーProduct Information ）。
【０００５】
【発明が解決しようとする課題】
このようなデジタルカメラにおいて、取得された画像データをプリントなどとして再生するラボシステムに対して、注文枚数を設定するラボ注文機能を搭載することが考えられる。しかしながら、上述したモニタのオン／オフ機能、モニタをケーブル接続させる機能あるいはモニタを着脱自在とする機能を有するデジタルカメラは、モニタによって撮像した画像の確認が可能な場合と不可能な場合とが生じるため、ラボ注文機能の範囲がモニタによる画像確認の可否により種々変更されてしまう。
【０００６】
例えば、モニタにより画像が確認可能であれば、モニタに表示される各画像ごとに詳細に注文枚数を設定可能であるが、モニタによる画像の確認が不可能な場合、全画像共通に注文枚数を増減させるような設定のみしか行うことができない。このように、モニタによる画像確認の可否に応じてラボ注文機能が異なると、ユーザは画像確認の可否に応じて注文機能を自ら選択する必要があるため、操作が非常に煩わしいものとなる。
【０００７】
本発明は上記事情に鑑みなされたものであり、モニタによる画像確認の可否に応じて、ユーザの手を煩わせることなく注文機能を変更することができるデジタルカメラを提供することを目的とするものである。
【０００８】
【課題を解決するための手段】
本発明による第１のデジタルカメラは、撮影により取得したデジタル画像データを撮影画像として表示する表示手段が着脱自在に設けられてなるデジタルカメラにおいて、
前記デジタル画像データのプリント時における注文枚数を設定する注文枚数設定手段と、
前記表示手段の有無を検出する検出手段と、
該検出手段の検出結果に応じて、前記注文枚数設定手段による注文枚数設定機能を切り換える設定機能切換手段とを備えたことを特徴とするものである。
【０００９】
ここで、「注文枚数設定機能」とは、表示手段が装着されているときには、表示手段に表示された画像を確認しながら注文枚数を設定できるとともに、逆に表示手段が装着されていないときには画像を確認することなく注文枚数を設定できる機能のことをいう。
【００１０】
なお、本発明による第１のデジタルカメラにおいて、前記設定機能切換手段は、前記検出手段により前記表示手段が装着されていることが検出されたときは、少なくとも前記表示手段に表示された撮影画像ごとの注文枚数を設定可能とし、前記表示手段が離脱していることが検出されたときは、前記記録媒体に記録された全てのデジタル画像データの注文枚数を共通に設定可能とするよう前記注文枚数設定手段の注文枚数設定機能を切り換える手段であることが好ましい。
【００１１】
また、前記デジタル画像データ再生時における再生画像の画像処理内容を設定する画像処理設定手段と、
前記検出手段により前記表示手段が装着していることが検出されたときは、前記画像処理設定手段による設定を可能とし、前記表示手段が離脱していることが検出されたときは、前記画像処理設定手段による設定を禁止する画像処理設定切換手段とをさらに備えるものとすることが好ましい。
【００１２】
ここで、「再生画像の画像処理内容」とは、画像のトリミング、あるいは回転など、デジタルカメラにおいて画像に対して設定可能な再生画像の表示形態のことをいい、例えばデジタルカメラにおいて、階調処理や周波数処理が可能な場合は、これらの処理をも含むものである。
【００１３】
本発明による第２のデジタルカメラは、撮影により取得したデジタル画像データを撮影画像として表示する表示手段と、該表示手段のオン／オフを切り換える表示切換手段とを有するデジタルカメラにおいて、
前記デジタル画像データのプリント時における注文枚数を設定する注文枚数設定手段と、
前記表示手段のオン／オフを検出する検出手段と、
該検出手段の検出結果に応じて、前記注文枚数設定手段による注文枚数設定機能を切り換える設定機能切換手段とを備えたことを特徴とするものである。
【００１４】
なお、本発明による第２のデジタルカメラにおいて、前記設定機能切換手段は、前記検出手段により前記表示手段がオンしていることが検出されたときは、少なくとも前記表示手段に表示された撮影画像ごとの注文枚数を設定可能とし、前記表示手段がオフしていることが検出されたときは、前記記録媒体に記録された全てのデジタル画像データの注文枚数を共通に設定可能とするよう前記注文枚数設定手段の注文枚数設定機能を切り換える手段であることが好ましい。
【００１５】
また、前記デジタル画像データ再生時における再生画像の画像処理内容を設定する画像処理設定手段と、
前記検出手段により前記表示手段がオンしていることが検出されたときは、前記画像処理設定手段による設定を可能とし、前記表示手段がオフしていることが検出されたときは、前記画像処理設定手段による設定を禁止する画像処理設定切換手段とをさらに備えたものとすることが好ましい。
【００１６】
本発明による第３のデジタルカメラは、撮影により取得したデジタル画像データを撮影画像として表示する表示手段に該デジタル画像データを出力するための出力端子を有するカメラにおいて、
前記デジタル画像データのプリント時における注文枚数を設定する注文枚数設定手段と、
前記出力端子に前記表示手段が接続されているか否かを検出する検出手段と、
該検出手段の検出結果に応じて、前記注文枚数設定手段による注文枚数設定機能を切り換える設定機能切換手段とを備えたことを特徴とするものである。
【００１７】
なお、本発明による第３のデジタルカメラにおいては、前記設定機能切換手段は、前記検出手段により前記表示手段が接続されていることが検出されたときは、少なくとも前記表示手段に表示された撮影画像ごとの注文枚数を設定可能とし、前記表示手段が接続されていないことが検出されたときは、前記記録媒体に記録された全てのデジタル画像データの注文枚数を共通に設定可能とするよう前記注文枚数設定手段の注文枚数設定機能を切り換える手段であることが好ましい。
【００１８】
また、前記デジタル画像データ再生時における再生画像の画像処理内容を設定する画像処理設定手段と、
前記検出手段により前記表示手段が接続されていることが検出されたときは、前記画像処理設定手段による設定を可能とし、前記表示手段が接続されていないことが検出されたときは、前記画像処理設定手段による設定を禁止する画像処理設定切換手段とをさらに備えたものとすることが好ましい。
【００１９】
さらに、本発明によるカメラ群は、本発明による第１のデジタルカメラ、第２のデジタルカメラおよび第３のデジタルカメラのうち、少なくとも２つのデジタルカメラを含むことを特徴とするものである。
【００２０】
【発明の効果】
本発明による第１のデジタルカメラによれば、モニタなどの表示手段を着脱可能としたデジタルカメラにおいて、表示手段の有無に応じて注文枚数設定手段の注文枚数設定機能を切り換えるようにしたため、表示手段を取り付ければ表示手段に表示された画像を確認しながらの注文枚数設定機能に切り換えられ、表示手段が取り外されれば画像を確認することなく注文枚数を設定できる注文枚数設定機能に切り換えることができる。したがって、ユーザの手を煩わせることなく、表示手段における画像表示の可否に応じて注文枚数設定機能を切り換えることができる。
【００２１】
本発明による第２のデジタルカメラによれば、モニタなどの表示手段をオン／オフ可能なデジタルカメラにおいて、表示手段のオン／オフ状態に応じて注文枚数設定手段の注文枚数設定機能を切り換えるようにしたため、表示手段をオンとすれば表示手段に表示された画像を確認しながらの注文枚数設定機能に切り換えられ、表示手段をオフとすれば画像を確認することなく注文枚数を設定できる注文枚数設定機能に切り換えることができる。したがって、ユーザの手を煩わせることなく、表示手段における画像表示の可否に応じて注文枚数設定機能を切り換えることができる。
【００２２】
本発明による第３のデジタルカメラによれば、モニタなどの表示手段を接続するための出力端子を有するデジタルカメラにおいて、表示手段が出力端子に接続されているか否かに応じて注文枚数設定手段の注文枚数設定機能を切り換えるようにしたため、表示手段を出力端子に接続すれば表示手段に表示された画像を確認しながらの注文枚数設定機能に切り換えられ、表示手段が出力端子に接続されていなければ画像を確認することなく注文枚数を設定できる注文枚数設定機能に切り換えることができる。したがって、ユーザの手を煩わせることなく、表示手段における画像表示の可否に応じて注文枚数設定機能を切り換えることができる。
【００２３】
【発明の実施の形態】
以下図面を参照して本発明の実施形態について説明する。
【００２４】
図１は本発明の第１の実施形態によるデジタルカメラの構成を示す斜視図である。図１に示すように、本発明の第１の実施形態によるデジタルカメラは、カメラ本体１と、カメラ本体１に対して着脱自在に設けられたモニタ２とからなる。カメラ本体１には、モニタ２を接続するための接続部３と、カメラ本体１とモニタ２とを電気的に接続するためのモニタ用接点群４と、撮像を行うためのレリーズボタン５と、撮像により取得されたデジタル画像データの注文枚数を設定するための４つの設定ボタン６と、カメラモード、再生モード、消去モードおよび注文モードなどカメラのモードを設定するためのモード設定ダイヤル７と、モード設定ダイヤル７により設定されたモードや、撮像時の露光状態、および注文枚数などを文字として表示するための液晶表示部８と、モニタ２が接続されていないときに撮像する被写体像を確認するための光学ビューファインダ９と、デジタルカメラの電源をオン／オフするための電源スイッチ１０とを備える。
【００２５】
モニタ２は撮像されるあるいは撮像された画像を表示するための液晶からなるモニタ表示部１１と、カメラ本体１と接続する接続部１２と、カメラ本体１のモニタ用接点群４と電気的に接続される接点群１３（図３参照））とを備える。
【００２６】
ここで、カメラ本体１の設定ボタン６は、注文ボタン６Ａと、実行ボタン６Ｂと、インクリメントボタン６Ｃと、デクリメントボタン６Ｄとからなる。また、モード設定ダイヤル７において設定されるカメラモードとは、デジタルカメラにより撮影を行う、すなわち撮像により取得された画像データを後述するメモリカードに格納するモードであり、再生モードとはメモリカードに記録された画像データをモニタ２に表示して再生するモードであり、消去モードとはメモリカードに記録された不要な画像データを消去するあるいはメモリカードのフォーマットを行うモードであり、注文モードとは、メモリカードに記録された画像データをプリントする際の注文枚数を設定あるいは解除するモードである。
【００２７】
図２は第１の実施形態によるデジタルカメラの内部構成を示すブロック図である。図２に示すように、第１の実施形態によるデジタルカメラの内部構成は、被写体像を撮像し、この被写体像を表すデジタル画像データ（以下単に画像データとする）を取得する撮像部１５と、撮像部１５において取得された画像データに対して階調処理などの画像処理を施す信号処理部１６と、信号処理部１６において処理が施された画像データを一時的に記録するフレームメモリ１７と、モニタ２が接続されているときに、フレームメモリ１７に記録された画像データをアナログ信号（ビデオ信号）に変換してモニタ２に出力するＤ／Ａ変換部１８と、フレームメモリ１７に記録された画像データを圧縮あるいは解凍するための圧縮解凍部１９と、圧縮解凍部１９において圧縮された画像データを記録するメモリカード２０を接続するためのメモリカードスロット２１と、カメラ本体１およびモニタ２を駆動するための電源２２と、後述するようにしてモニタ２がカメラ本体１に接続されているか否かを検出するモニタ検出部２３と、モニタ検出部２３における検出結果に応じて後述するように注文モードにおける注文枚数設定機能をモニタ装着時およびモニタ非装着時のものに切り換える注文部２４と、撮像部１５、信号処理部１６、フレームメモリ１７、Ｄ／Ａ変換部１８、圧縮解凍部１９、モニタ検出部２３、注文部２４、上述した設定ボタン６などの操作ボタン群２５および液晶表示部８の駆動を制御するためのＣＰＵ２６とからなる。
【００２８】
図３は、カメラ本体１とモニタ２との電気的な接続状態を示す回路図である。図３に示すように、カメラ本体１およびモニタ２の接点群４，１３のうち、互いに対応する一対の接点４Ａ，１３Ａはカメラ本体１の電源２２とモニタ２の電源２７とを接続するためのものであり、他の２組の接点４Ｂ，４Ｃ，１３Ｂ，１３Ｃはモニタ検出部２３と接続してモニタ２の着脱状態を検出するための接点である。そして、カメラ本体１側の接点４Ｂをプルアップし、接点４ＤをＧＮＤ接続するとともに、モニタ２の接点１３Ｂ，１３ＣをＧＮＤ接続することにより、モニタ検出部２３に入力される信号は、モニタ２を装着したときはＧＮＤレベル（ローレベル）となり、モニタ２を離脱したときは電源レベル（ハイレベル）となる。したがって、モニタ検出部２３に入力される信号の高低に応じて、モニタ２の着脱状態が検出されることとなる。そして、ＣＰＵ２６はモニタ検出部２３からの信号に応じて後述するようにして注文部２４における注文枚数設定機能を切り換えるものである。
【００２９】
このようなデジタルカメラにおいて、モニタ２を装着した状態においては、モニタ２に表示される画像を確認しながら撮影を行うことができる。一方、モニタ２が離脱した状態においては光学ビューファインダ９を使用しながら撮影を行うことにより、消費電力を低減することができるものである。
【００３０】
次いで、第１の実施形態の動作について説明する。なお、第１の実施形態におけるデジタルカメラのカメラモード、再生モードおよび消去モードについては既知のデジタルカメラの動作と同一であるため説明を省略し、ここでは注文モードについてのみ説明する。
【００３１】
まず、モニタ２が装着された状態においては、モニタ検出部２３からはローレベル信号がＣＰＵ２６に入力され、これにより、注文部２４における注文枚数設定機能がモニタ装着時のものに切り換えられる。そして、モード設定ダイヤル７を注文モードに設定して注文を行う。まず、インクリメントボタン６Ｃあるいはデクリメントボタン６Ｄを操作することにより、モニタ２に表示する画像を選択して実行ボタン６Ｂを押下すると、選択された画像を表すデジタル画像データがメモリカード２０から読み出され、圧縮解凍部１９により解凍される。解凍されたデジタル画像データは、さらにＤ／Ａ変換部１８によりアナログ信号に変換されてモニタ２に入力され、可視像として再生される。そして、再生中の画像に対して注文ボタン６Ａを押しながらインクリメントボタン６Ｃを押すことにより、モニタ２に表示された画像の注文枚数が１枚ずつ増加する。この状態はカメラ本体１の液晶表示部８の「チュウモン」の表示において確認することができる。逆に、注文ボタン６Ａを押しながらデクリメントボタン６Ｄを押すことにより、モニタ２に表示された画像の注文枚数が１枚ずつ減少する（但し０以下とはならない）。そして、注文枚数が設定された時点で実行ボタン６Ｂを押すと、モニタ２に表示された画像に対する注文枚数が、この画像に対応する画像データとともにメモリカード２０に記録される。
【００３２】
このようにしてモニタ２の装着時にはモニタ２に表示される画像を選択しながら、各画像に対して個別にプリント時の注文枚数を設定することができる。なお、この場合、モニタ２に表示された画像にトリミングエリアを表示するとともに、カメラ本体１にトリミングエリアを移動させるための方向指示ボタンを設ける、あるいはカメラ本体１にモニタ２に表示された画像を回転するための回転ボタンを設けることにより、トリミングあるいは画像の回転を行うようにしてもよい。この場合、方向指示ボタンは一度押されるごとに所定の画素ずつトリミングエリアの位置を変更し、回転ボタンは一度押されるごとに画像を９０度回転する。なお、これらのトリミングおよび画像の回転は、モニタ２がカメラ本体１に装着されたとき、すなわちモニタ検出部２３からモニタ２が装着されたことを表すローレベル信号が出力されているときにのみ動作可能となるものである。
【００３３】
一方、モニタ２が離脱された状態においては、モニタ検出部２３からはハイレベル信号がＣＰＵ２６に入力され、これにより、注文部２４における注文枚数設定機能がモニタ非装着時のものに切り換えられる。この状態においては、注文ボタン６Ａを押しながらインクリメントボタン６Ｃを押すことにより、メモリカード２０に記録された全画像の注文枚数が１枚ずつ増加する。この状態はカメラ本体１の液晶表示部８の「チュウモン」の表示において確認することができる。逆に注文ボタン６Ａを押しながらデクリメントボタン６Ｄを押すことによりメモリカード２０に記録された全画像の注文枚数が１枚ずつ減少する（但し０以下とはならない）。そして、注文枚数が設定された時点で実行ボタン６Ｂを押すと、全画像に対する注文枚数が、各画像データとともにメモリカード２０に記録される。
【００３４】
このように、本実施形態においては、モニタ２の着脱状態に応じてプリント注文枚数の設定機能を切り換えるようにしたため、モニタ２を装着すればモニタ２に表示された画像を確認しながら各画像ごとに個別に注文枚数を設定でき、モニタ２を離脱すれば画像を確認することなく全画像に対して一律の注文枚数を設定できる。したがって、ユーザの手を煩わせることなく、モニタ２における画像表示の可否に応じて注文枚数設定機能を切り換えることができる。
【００３５】
なお、上記第１の実施形態においては、モニタ２の装着の有無を電気的に検出しているが、これに限定されるものではなく、種々の検出手段を適用することができるものである。例えば、カメラ本体１の接続部３にカメラ本体１の表面に対して進退可能な突起を設け、この突起がカメラ本体１の表面から退避しているときにモニタ２が装着されていることを検出し、突出しているときにモニタ２が装着されていないことを検出するようにしてもよい。
【００３６】
次いで、本発明の第２の実施形態について説明する。
【００３７】
図４は本発明の第２の実施形態によるデジタルカメラの内部構成を示すブロック図である。なお、図４において図２と同一の構成については同一の参照番号を付し詳細な説明は省略する。第２の実施形態は、モニタ２とカメラ本体１とをケーブル３０により接続するようにした点が第１の実施形態と異なるものである。図４に示すように、カメラ本体１にはケーブル３０を接続するための出力端子３１が、モニタ２にはケーブル３０を接続するための入力端子３２がそれぞれ設けられている。そして、カメラ本体１とモニタ２とをケーブル３０により接続して、撮像された画像をモニタ２に表示することができる。
【００３８】
ここで、カメラ本体１の出力端子３１にケーブル３０が接続されると、Ｄ／Ａ変換部１８から出力されるアナログ画像データは、出力端子３１の終端抵抗によって所定の電圧によりモニタ２に出力されるが、ケーブル３０が接続されないと、Ｄ／Ａ変換部１８から出力されるアナログ画像データが終端されないため、アナログ画像データの電圧がケーブル３０の接続時よりも高くなる。モニタ検出部２３はこのアナログ画像データの電圧を検出することにより、モニタ２の接続の有無を検出するものである。
【００３９】
そして、カメラ本体１にモニタ２が接続されたときは、上記第１の実施形態におけるモニタ２の装着時と同様に注文部２４における注文枚数設定機能が切り換えられて、モニタ２に表示される画像ごとに注文枚数を設定することができる。一方、カメラ本体１にモニタ２が接続されていないときは、上記第１の実施形態におけるモニタ２の離脱時と同様に注文部２４における注文枚数設定機能が切り換えられて、メモリカード２０に記録されている全画像に対して共通の注文枚数を設定することができる。
【００４０】
なお、上記第２の実施形態においては、第１の実施形態と同様に、モニタ２に表示された画像にトリミングエリアを表示するとともに、カメラ本体１にトリミングエリアを移動させるための方向指示ボタンを設ける、あるいはカメラ本体１にモニタ２に表示された画像を回転するための回転ボタンを設けることにより、トリミングあるいは画像の回転を行うようにしてもよい。この場合、これらのトリミングおよび画像の回転は、モニタ２がカメラ本体１に接続されたときにのみ動作可能となるものである。
【００４１】
次いで、本発明の第３の実施形態について説明する。
【００４２】
図５は本発明の第３の実施形態によるデジタルカメラの内部構成を示すブロック図である。なお、図５において図２と同一の構成については同一の参照番号を付し詳細な説明は省略する。第３の実施形態は、モニタ２とカメラ本体１とが一体となって設けられており、モニタ２をオン／オフするためのモニタスイッチ３５と、モニタスイッチ３５のオン／オフを検出するモニタスイッチ検出部３６とを設けた点が第１の実施形態と異なるものである。
【００４３】
ここで、モニタスイッチ３５をオンとすることによりモニタ表示部１１に画像が表示され、これとともにモニタスイッチ３５がオンとなっている状態がモニタスイッチ検出部３６により検出される。一方、モニタスイッチ３５をオフとすることによりモニタ表示部１１には画像が表示されなくなり、これとともにモニタスイッチ３５がオフとなっている状態がモニタスイッチ検出部３６により検出される。
【００４４】
そして、モニタ表示部１１がオンとされたときは、上記第１の実施形態におけるモニタ２の装着時と同様に注文部２４における注文枚数設定機能が切り換えられて、モニタ２に表示される画像ごとに注文枚数を設定することができる。一方、モニタ表示部１１がオフとされたときは、上記第１の実施形態におけるモニタ２の離脱時と同様に注文部２４における注文枚数設定機能が切り換えられて、メモリカード２０に記録されている全画像に対して共通の注文枚数を設定することができる。
【００４５】
なお、上記第３の実施形態においては、第１の実施形態と同様に、モニタ２に表示された画像にトリミングエリアを表示するとともに、カメラ本体１にトリミングエリアを移動させるための方向指示ボタンを設ける、あるいはカメラ本体１にモニタ２に表示された画像を回転するための回転ボタンを設けることにより、トリミングあるいは画像の回転を行うようにしてもよい。この場合、これらのトリミングおよび画像の回転は、モニタ２がオンとされているときにのみ動作可能となるものである。
【００４６】
なお、本発明においては、上記第１から第３の実施形態によるカメラのうち、少なくとも２種類のカメラをシリーズとして有するものとしてもよいものである。
【図面の簡単な説明】
【図１】本発明の第１の実施形態によるデジタルカメラの構成を示す斜視図
【図２】本発明の第１の実施形態によるデジタルカメラの内部構成を示すブロック図
【図３】接点群の構成を示す回路図
【図４】本発明の第２の実施形態によるデジタルカメラの内部構成を示すブロック図
【図５】本発明の第３の実施形態によるデジタルカメラの内部構成を示すブロック図
【符号の説明】
１    カメラ本体
２    モニタ
３    接続部
４，１３    接点群
５    レリーズボタン
６    設定ボタン
７    モード設定ダイヤル
８    液晶表示部
９    光学ビューファインダ
１０    電源スイッチ
１１    モニタ表示部
１５    撮像部
１６    信号処理部
１７    フレームメモリ
１８    Ｄ／Ａ変換部
１９    圧縮解凍部
２０    メモリカード
２１    メモリカードスロット
２２，２７    電源
２３    モニタ検出部
２４    注文部
２５    操作ボタン群
２６    ＣＰＵ
３０    ケーブル
３１    出力端子
３５    モニタスイッチ
３６    モニタスイッチ検出部
【図１】
0003808191.tif 000002
【図２】
0003808191.tif 000003
【図３】
0003808191.tif 000004
【図４】
0003808191.tif 000005
【図５】
0003808191.tif 000006